(57)【要約】【課題】部品点数を減少でき、取付作業性を良好にできるＬＥＤ照明器具およびアダプタを提供する。【解決手段】ＬＥＤ照明器具１０は、器具本体１１と、器具本体１１の両端部に取り付けられる一対のソケット１２，１３と、一対のソケット１２，１３に取り付けられる直管ランプ１４とを備え、直管ランプ１４が、筒部２３の長手方向両端部にそれぞれ設けられた一対の口金２４，２５と、各口金２４，２５のうちの少なくとも一方における端面に設けられた複数のピン２６と、を有し、少なくとも各口金２４，２５と各ソケット１２，１３との間に介装されてピン２６をソケット１２に接続させるアダプタ１６を備える。【選択図】図１
2013069435.tif 000002
【特許請求の範囲】
【請求項１】
器具本体と、
前記器具本体の両端部に取り付けられる一対のソケットと、
前記一対のソケットに取り付けられる直管ランプとを備え、
前記直管ランプが、
透光性を有する筒部に収容され、かつ、前記筒部の長手方向に沿って配列された複数のＬＥＤユニットと、
前記筒部の長手方向両端部にそれぞれ設けられた一対の口金と、
前記各口金のうちの少なくとも一方における端面に設けられた複数のピンと、を有し、
少なくとも前記各口金と前記各ソケットとの間に介装されて前記ピンを前記各ソケットに接続させるアダプタを備えるＬＥＤ照明器具。
【請求項２】
器具本体と、
前記器具本体の両端部に取り付けられる一対のソケットと、
前記一対のソケットに取り付けられる直管ランプとを備え、
前記直管ランプが、
透光性を有する筒部に収容され、かつ、前記筒部の長手方向に沿って配列された複数のＬＥＤユニットと、
前記筒部の長手方向両端部にそれぞれ設けられた一対の口金と、
前記各口金のうちの少なくとも一方における端面に設けられた複数のピンと、を有するＬＥＤ照明器具に用いられ、
前記各口金の前記ピンを挿入可能なピン係合部と、前記ソケットに挿入可能なアダプタピンとを有し、前記ピン係合部に前記各口金の前記ピンを挿入させるとともに、前記アダプタピンを前記ソケットに挿入させるアダプタ。
【請求項３】
請求項２に記載のアダプタにおいて、
前記直管ランプの外郭を保持し、前記直管ランプが前記各ソケットに取り付けられた後に前記器具本体に取り付けられる保持部材を有するアダプタ。
【請求項４】
請求項２または請求項３に記載のアダプタにおいて、
前記直管ランプの外郭に接する放熱部を有するアダプタ。
【発明の詳細な説明】
【技術分野】
【０００１】
本発明は、ＬＥＤを有する直管型ＬＥＤランプを光源として天井面等に設置されるＬＥＤ照明器具およびアダプタに関する。
【背景技術】
【０００２】
従来より、器具本体に有する一対のソケットのうち、少なくとも一方に取り付けられるアダプタを備え、一対のソケット間にアダプタを介して接続される直管型ＬＥＤランプを備えたＬＥＤ照明器具およびアダプタが知られている（例えば、特許文献１参照）。
特許文献１は、一対のソケット間において、直管型ＬＥＤランプが寸法的に接続できない場合に、アダプタにより、適合する正しい組み合わせで正常に使用することができる。
【先行技術文献】
【特許文献】
【０００３】
【特許文献１】特開２０１１−１０８３７６号公報（図１、請求項３）
【発明の概要】
【発明が解決しようとする課題】
【０００４】
特許文献１は、直管型ＬＥＤランプとの正しい組み合わせで正常に使用できる。
しかし、特許文献１は、アダプタが、ソケットに対して取り外し不可とするための、ねじ止め等の締結手段を介してソケットに固定されている。
従って、特許文献１は、部品点数が増大して部品管理が複雑になるばかりか、取付作業性が良好ではない。
【０００５】
本発明は、前述した課題を解決するためになされたものであり、その目的は、部品点数を減少でき、取付作業性を良好にできるＬＥＤ照明器具およびアダプタを提供することにある。
【課題を解決するための手段】
【０００６】
本発明に係るＬＥＤ照明器具は、器具本体と、前記器具本体の両端部に取り付けられる一対のソケットと、前記一対のソケットに取り付けられる直管ランプとを備え、前記直管ランプが、透光性を有する筒部に収容され、かつ、前記筒部の長手方向に沿って配列された複数のＬＥＤユニットと、前記筒部の長手方向両端部にそれぞれ設けられた一対の口金と、前記各口金のうちの少なくとも一方における端面に設けられた複数のピンと、を有し、少なくとも前記各口金と前記各ソケットとの間に介装されて前記ピンを前記各ソケットに接続させるアダプタを備える。
【０００７】
本発明に係るアダプタは、器具本体と、前記器具本体の両端部に取り付けられる一対のソケットと、前記一対のソケットに取り付けられる直管ランプとを備え、前記直管ランプが、透光性を有する筒部に収容され、かつ、前記筒部の長手方向に沿って配列された複数のＬＥＤユニットと、前記筒部の長手方向両端部にそれぞれ設けられた一対の口金と、前記各口金のうちの少なくとも一方における端面に設けられた複数のピンと、を有するＬＥＤ照明器具に用いられ、前記各口金の前記ピンを挿入可能なピン係合部と、前記ソケットに挿入可能なアダプタピンとを有し、前記ピン係合部に前記各口金の前記ピンを挿入させるとともに、前記アダプタピンを前記ソケットに挿入させる。
【０００８】
本発明に係るアダプタは、前記直管ランプの外郭を保持し、前記直管ランプが前記各ソケットに取り付けられた後に前記器具本体に取り付けられる保持部材を有する。
【０００９】
本発明に係るアダプタは、前記直管ランプの外郭に接する放熱部を有する。
【発明の効果】
【００１０】
本発明に係るＬＥＤ照明器具およびアダプタによれば、部品点数を減少でき、取付作業性を良好にできるという効果を奏する。
【図面の簡単な説明】
【００１１】
【図１】本発明に係る第１実施形態のＬＥＤ照明器具およびアダプタの分解斜視図
【図２】本発明に係る第１実施形態の給電側アダプタの外観斜視図
【図３】本発明に係る第１実施形態の給電側アダプタの一部破断側面図
【図４】本発明に係る第１実施形態の給電側アダプタの作用を説明するＬＥＤ照明器具の側面図
【図５】本発明に係る第１実施形態のＬＥＤ照明器具に適用される直管型ＬＥＤランプの給電側ピンの変形例の一部破断外観斜視図
【図６】本発明に係る第１実施形態のＬＥＤ照明器具に適用される直管型ＬＥＤランプの給電側ピンの他の変形例の一部破断外観斜視図
【図７】本発明に係る第１実施形態のＬＥＤ照明器具に適用される直管型ＬＥＤランプの給電側ピンの他の変形例の一部破断外観斜視図
【図８】本発明に係る第１実施形態の接地側アダプタの外観斜視図
【図９】本発明に係る第１実施形態の接地側アダプタの一部破断側面図
【図１０】本発明に係る第１実施形態の接地側アダプタの作用を説明するＬＥＤ照明器具の側面図
【図１１】本発明に係る第２実施形態の給電側アダプタの直管型ＬＥＤランプへの取付後の外観斜視図
【図１２】本発明に係る第２実施形態の給電側アダプタの器具本体への取付後の垂直断面図
【図１３】本発明に係る第３実施形態の給電側アダプタの直管型ＬＥＤランプへの取付後の外観斜視図
【図１４】本発明に係る第３実施形態の給電側アダプタの垂直断面図
【発明を実施するための形態】
【００１２】
以下、本発明に係る複数の実施形態のＬＥＤ照明器具およびアダプタについて図面を参照して説明する。
（第１実施形態）
図１に示すように、本発明に係る第１実施形態のＬＥＤ照明器具１０は、器具本体１１と、器具本体１１の一端部に取り付けられた給電側ソケット１２と、器具本体１１の他端部に取り付けられた接地側ソケット１３とを備える。
また、ＬＥＤ照明器具１０は、給電側ソケット１２と接地側ソケット１３とに電気的に接続されて機械的に取り付けられる直管型ＬＥＤランプ１４を備える。
【００１３】
そして、ＬＥＤ照明器具１０は、直管型ＬＥＤランプ１４の上方に配置されて器具本体１１に取り付けられる反射板１５を備える。
さらに、ＬＥＤ照明器具１０は、器具本体１１の給電側ソケット１２と直管型ＬＥＤランプ１４との間に給電側アダプタ１６または接地側ソケット１３と直管型ＬＥＤランプ１４との間に接地側アダプタ（図８参照）１７を介装する。
ＬＥＤ照明器具１０は、天井面９０に直接設置されるベースライトである。
【００１４】
器具本体１１は、金属製板部材を折曲することにより下方を開口させて成形されている。
器具本体１１は、複数のねじ孔１８を有し、これらねじ孔１８に、天井面９０に設けられている固定ねじ９１が挿通される。
そして、器具本体１１は、下面において固定ねじ９１に座金９２が挿通され、固定ねじ９１に締結部材９３がねじ込まれることにより、天井面９０に取り付けられる。
【００１５】
器具本体１１は、下面に電源端子台１９と、電源ブロック２０とを取り付けている。
電源端子台１９には、天井面９０から引き込まれた外部配線９４が接続されるとともに、不図示の器具配線が電源ブロック２０に接続される。
電源ブロック２０は、器具配線２１および器具配線２２を通じて給電側ソケット１２および接地側ソケット１３に電気的に接続される。
【００１６】
直管型ＬＥＤランプ１４は、断面が略円形状であって透光性を有する筒部であるガラス管２３の長手方向の一端部に第１口金２４を有し、ガラス管２３の長手方向の他端部に第２口金２５を有する。
そして、直管型ＬＥＤランプ１４は、第１口金２４の端面に複数の給電側ピン（図３参照）２６を有し、第２口金２５の端面に単一の接地側ピン２７を有する。複数の給電側ピン  ２６は、外方に向けて屈曲した形状に形成されている。
なお、給電側ピン２６および接地側ピン２７の数は、図示した２本の給電側ピン２６および１本の接地側ピン２７に限定されず、内部回路に応じて適宜設定される。
【００１７】
直管型ＬＥＤランプ１４は、ガラス管２３内に、複数のＬＥＤ２８がガラス管２３の軸方向に封止されたＬＥＤ基板２９を有する複数のＬＥＤユニット３０を内蔵している。
複数のＬＥＤユニット３０は、コ字形状に形成されてＬＥＤ基板２９に固定されたヒートシンク３１を含む。
ここで、ＬＥＤユニット３０のＬＥＤ２８は、その光軸方向Ｘが、給電側ピン２６の配列方向Ｙと直交して配置されている。
【００１８】
直管型ＬＥＤランプ１４は、被照射対象に向けた照射範囲がガラス管２３の全周に対して１／２ないし２／３である。
直管型ＬＥＤランプ１４は、給電側ソケット１２から給電された直流電流が給電側ピン２６から接地側ピン２７を通じて接地側ソケット１３に流れる。
これにより、直管型ＬＥＤランプ１４は、ＬＥＤ基板２９に有する不図示のプリント回路に直流電流が供給されてＬＥＤ２８が発光される。
【００１９】
反射板１５は、器具本体１１と同様に、金属製板部材により逆山形状に形成されており、下面が反射機能を有する白色や乳白色に塗装されている。
反射板１５は、両端部に、給電側ソケット１２および接地側ソケット１３を挿入させるための給電側ソケット孔３２および接地側ソケット孔３３を有する。
【００２０】
次に、給電側アダプタ１６について詳細に説明する。
図２に示すように、給電側アダプタ１６は、直管型ＬＥＤランプ１４の外径寸法に同等の外径寸法を有する絶縁部材により成形されたケース３４を備えている。
給電側アダプタ１６は、ケース３４の給電側ソケット１２側の端面に複数の給電側アダプタピン３５を有し、ケース３４の給電側ソケット１２とは反対側の端面に複数の長孔形状のピン係合部３６を有する。
【００２１】
図３に示すように、給電側アダプタ１６は、直管型ＬＥＤランプ１４の給電側ピン２６がピン係合部３６に挿入された後に、あらかじめ定められた角度だけ回動される。
これにより、給電側アダプタ１６は、複数の給電側アダプタピン３５が複数の給電側ピン２６のそれぞれ電気的に接続される。
そして、複数の給電側アダプタピン３５が複数の給電側ピン２６に相似形状にしてケース３４から給電側ピン２６の配列方向Ｙと同方向の配列方向（図１参照）Ｙで、ＬＥＤユニット３０のＬＥＤ２８の光軸方向Ｘに直交して配置される。
給電側アダプタ１６は、ねじ止め等の締結手段を用いずに、複数の給電側アダプタピン３５が複数の給電側ピン２６のそれぞれ電気的に接続されて直管型ＬＥＤランプ１４に取り付けられる。
【００２２】
次に、給電側アダプタ１６の作用について説明する。
図４に示すように、照明器具１０は、給電側ソケット１２と接地側ソケット１３とがソケット間距離Ｌ１を有する。しかし、直管型ＬＥＤランプ１４は、ソケット間距離Ｌ１よりも短い長さ寸法Ｌ２を有する。
そこで、直管型ＬＥＤランプ１４の第１口金２４と給電側ソケット１２との間に、ソケット間距離Ｌ１−長さ寸法Ｌ２＝長さ寸法Ｌ３に設定された給電側アダプタ１６が介装される。
【００２３】
そして、給電側アダプタ１６の複数の給電側アダプタピン３５が給電側ソケット１２に電気的に接続され、直管型ＬＥＤランプ１４が９０度回動（図１における時計回転方向）される。
そのため、給電側アダプタピン３５が給電側ソケット１２に内装されている不図示のピン受端子に電気的に接続され、ＬＥＤ２８が下方に向けた配光特性を設定される。
これにより、何らの支障なく、ソケット間距離Ｌ１よりも短い長さ寸法Ｌ２を有する直管型ＬＥＤランプ１４が給電側ソケット１２と接地側ソケット１３とに取り付けられることになる。
【００２４】
次に、直管型ＬＥＤランプ１４における給電側ピンの変形例について説明する。
図５に示すように、本変形例の給電側ピン３７は、給電側ピン２６とは反対側の内方に向けて屈曲して形成されている。
ここで、給電側アダプタ１６の複数の給電側アダプタピン３５も給電側ピン３７に相似する形状に形成される。
【００２５】
図６に示すように、他の変形例の給電側ピン３８は、Ｔ字形状に形成されている。
ここで、給電側アダプタ１６の複数の給電側アダプタピン３５も給電側ピン３８に相似する形状に形成される。
図７に示すように、他の変形例の給電側ピン３９は、十字形状に形成されている。
ここで、給電側アダプタ１６の複数の給電側アダプタピン３５も給電側ピン３９に相似する形状に形成される。
【００２６】
次に、接地側アダプタ１７について詳細に説明する。
図８に示すように、接地側アダプタ１７は、直管型ＬＥＤランプ１４の外径寸法に同等の外径寸法を有する絶縁部材により成形されたケース４０を備えている。
接地側アダプタ１７は、ケース４０の接地側ソケット１３側の端面に接地側アダプタピン４１を有し、ケース４０の接地側ソケット１３とは反対側の端面に接地側ピン２７に相似するＴ字形状のピン係合部４２を有する。
接地側アダプタピン４１は、接地側ピン２７に相似する形状に形成されている。
【００２７】
図９に示すように、接地側アダプタ１７は、直管型ＬＥＤランプ１４の接地側ピン２７がピン係合部４２に側方から挿入されることにより、接地側アダプタピン４１が接地側ピン２７に電気的に接続される。
そして、接地側アダプタピン４１が接地側アダプタ１７から突出して配置される。
接地側アダプタ１７は、ねじ止め等の締結手段を用いずに、接地側アダプタピン４１が接地側ピン２７に電気的に接続されて直管型ＬＥＤランプ１４に取り付けられる。
【００２８】
次に、接地側アダプタ１７の作用について説明する。
図１０に示すように、照明器具１０は、給電側ソケット１２と接地側ソケット１３とがソケット間距離Ｌ１を有する。しかし、直管型ＬＥＤランプ１４は、ソケット間距離Ｌ１よりも短い長さ寸法Ｌ２を有する。
そこで、直管型ＬＥＤランプ１４の第２口金２５と接地側ソケット１３との間に、ソケット間距離Ｌ１−長さ寸法Ｌ２＝長さ寸法Ｌ４に設定された接地側アダプタ１７が介装される。
【００２９】
そして、接地側アダプタ１７の接地側アダプタピン４１が接地側ソケット１３に電気的に接続される。
これにより、何らの支障なく、ソケット間距離Ｌ１よりも短い長さ寸法Ｌ２を有する直管型ＬＥＤランプ１４が給電側ソケット１２と接地側ソケット１３とに取り付けられることになる。
【００３０】
以上、説明した本発明に係る第１実施形態のＬＥＤ照明器具１０によれば、器具本体１１の給電側ソケット１２と直管型ＬＥＤランプ１４との間に給電側アダプタ１６または接地側ソケット１３と直管型ＬＥＤランプ１４との間に接地側アダプタ１７が介装される。
そして、ＬＥＤ照明器具１０によれば、これら給電側アダプタ１６および接地側アダプタ１７が、従来のもののようにねじ止め等を用いることなく、直管型ＬＥＤランプ１４に簡単に装着される。
従って、ＬＥＤ照明器具１０によれば、部品点数を減少でき、取付作業性を良好にできる。
【００３１】
給電側アダプタ１６および接地側アダプタ１７によれば、直管型ＬＥＤランプ１４の給電側ピン２６または接地側ピン２７がピン係合部３６またはピン係合部４２に挿入される。
これにより、給電側アダプタ１６および接地側アダプタ１７によれば、給電側アダプタピン３５または接地側アダプタピン４１が給電側ピン２６または接地側ピン２７に電気的に接続される。
従って、給電側アダプタ１６および接地側アダプタ１７によれば、従来のもののようにねじ止め等を用いることなく、直管型ＬＥＤランプ１４に簡単に装着できる。
【００３２】
（第２実施形態）
次に、本発明に係る第２実施形態のＬＥＤ照明器具およびアダプタについて説明する。
なお、以下の各実施形態において、前述した第１実施形態と重複する構成要素や機能的に同様な構成要素については、図中に同一符号あるいは相当符号を付することによって説明を簡略化あるいは省略する。
【００３３】
図１１に示すように、本発明に係る第２実施形態のＬＥＤ照明器具５０に適用される給電側アダプタ５１は、直管型ＬＥＤランプ１４の外郭を保持する保持部５２と、器具本体１１に取り付けられる一対の取付部５３と有する保持部材５４を備えている。
保持部材５４は、保持部５２が、直管型ＬＥＤランプ１４の外径寸法よりもわずかに大きい内径寸法を有してガラス管２３の軸方向に長さを有する半円筒形状に形成されてケース５５に一体に成形されている。
取付部５３は、ケース５５の上方に器具本体１１に向けて略Ｖ字形状に延出されており、先端部にねじ孔５６を有する。
【００３４】
図１２に示すように、給電側アダプタ５１は、直管型ＬＥＤランプ１４の第１口金２４と給電側ソケット１２との間に介装されることにより、保持部５２が直管型ＬＥＤランプ１４の外郭を保持する。
そして、給電側アダプタ５１は、直管型ＬＥＤランプ１４が給電側ソケット１２および接地側ソケット１３に取り付けられた後に、ねじ孔５６に挿通されたねじ５７が器具本体１１にねじ込まれることにより、取付部５３が器具本体１１に取り付けられる。
【００３５】
第２実施形態の給電側アダプタ５１によれば、給電側ピン２６の給電側ソケット１２への電気的な接続に加えて、直管型ＬＥＤランプ１４の器具本体１１への取付強度を増強できる。
【００３６】
（第３実施形態）
次に、本発明に係る第３実施形態のＬＥＤ照明器具およびアダプタについて説明する。
図１３および図１４に示すように、本発明に係る第３実施形態のＬＥＤ照明器具６０に適用される給電側アダプタ６１は、直管型ＬＥＤランプ１４において発熱するガラス管２３の軸方向に沿って熱的に接続された放熱部６２を備えている。
給電側アダプタ６１は、放熱部６２がケース６３に一体に形成されている。
【００３７】
第３実施形態の給電側アダプタ６１によれば、給電側ピン２６の給電側ソケット１２への電気的な接続に加えて、放熱部６２により、直管型ＬＥＤランプ１４の発熱を積極的に放熱できるために、直管型ＬＥＤランプ１４の特性を維持できる。
【００３８】
なお、本発明のＬＥＤ照明器具およびアダプタにおいて器具本体、反射板、電源端子台、電源ブロック等は、前述した各実施形態に限定されるものでなく、適宜な変形や改良等が可能である。
【符号の説明】
【００３９】
１０，５０，６０  ＬＥＤ照明器具
１１  器具本体
１２  給電側ソケット（ソケット）
１３  接地側ソケット（ソケット）
１４  直管型ＬＥＤランプ（直管ランプ）
１６，５１，６１  給電側アダプタ（アダプタ）
１７  接地側アダプタ（アダプタ）
２３  ガラス管（筒部）
２４  第１口金（口金）
２５  第２口金（口金）
２６  給電側ピン（ピン）
２７  接地側ピン（ピン）
３０  ＬＥＤユニット
３５  給電側アダプタピン（アダプタピン）
３６，４２  ピン係合部
４１  接地側アダプタピン（アダプタピン）
５４  保持部材
６２  放熱部
【図１】
2013069435.tif 000003
【図２】
2013069435.tif 000004
【図３】
2013069435.tif 000005
【図４】
2013069435.tif 000006
【図５】
2013069435.tif 000007
【図６】
2013069435.tif 000008
【図７】
2013069435.tif 000009
【図８】
2013069435.tif 000010
【図９】
2013069435.tif 000011
【図１０】
2013069435.tif 000012
【図１１】
2013069435.tif 000013
【図１２】
2013069435.tif 000014
【図１３】
2013069435.tif 000015
【図１４】
2013069435.tif 000016